(57)【要約】【課題】位置変更を容易に行なえて作業効率を向上できる足場架台を提供する。【解決手段】アルミ製の架台本体１の長手方向の使用状態で上端側となる一端側に、ガイドローラー部材２を取り付け、既設ソーラーパネル用足場架台４を構成する。ガイドローラー部材２を、コの字状の支持枠体７に、架台本体１の長手方向と平行な軸心周りで回転可能に一対の第１のガイドローラー８，８を設けるとともに、使用状態でガラスカバーの表面の法線方向と平行となる軸心周りで回転可能に一対の第２のガイドローラー９，９を設けて構成する。これにより、架台本体１の長手方向下端側を持ち上げて横方向に力を加えると、第１のガイドローラー８，８が上方のパネル枠の上面に、かつ、第２のガイドローラー９，９がパネル枠の上端面にそれぞれ接して回転する。このため、足場架台４を横方向に円滑に移動させることができる。【選択図】図１
2020023848.tif 000002
【特許請求の範囲】
【請求項１】
既設のソーラーパネルのガラスカバーの表面に汚れ防止用コーティング剤を塗布施工するために使用する既設ソーラーパネル用足場架台であって、
前記ガラスカバーの外周縁を保持するパネル枠の対向する枠にわたって載置して作業者を乗せる架台本体の長手方向一端側に、
前記架台本体の長手方向と平行な軸心周りで回転可能で前記パネル枠の上面と接して回転する第１のガイドローラーと、
使用状態で前記ガラスカバーの表面の法線方向と平行な軸心周りで回転可能で使用状態での前記パネル枠の上端面と接して回転する第２のガイドローラーと、
を備えたことを特徴とする既設ソーラーパネル用足場架台。
【請求項２】
請求項１に記載の既設ソーラーパネル用足場架台において、
架台本体の上面に、作業者の靴の踵側を乗せるステップを設けるとともに、前記ステップの上端側に、使用状態で前記架台本体の上面よりも水平面に近くなる面を備えた踵乗せ部を設けてある既設ソーラーパネル用足場架台。
【請求項３】
請求項１または２に記載の既設ソーラーパネル用足場架台において、
架台本体の長手方向の使用状態で上方側となる端部側に、命綱または命綱を繋ぐ親綱を取り付ける綱取付部材を着脱可能に設けてある既設ソーラーパネル用足場架台。
【請求項４】
請求項１、２、３のいずれかに記載の既設ソーラーパネル用足場架台において、
架台本体に、作業者の移動または／および作業姿勢の維持を補助する手摺り支柱を着脱可能に設けてある既設ソーラーパネル用足場架台。
【請求項５】
請求項４に記載の既設ソーラーパネル用足場架台において、
架台本体がアルミ成形品であり、前記架台本体に、長手方向に所定ピッチで多数の穴を複数列打ち抜き形成し、手摺り支柱を設けた支持台の下方に、前記穴のピッチおよび列間隔に対応させた３本の桿状部材を一体的に設け、前記３本の桿状部材を前記穴に挿脱自在に挿入して前記手摺り支柱を前記架台本体に着脱可能に設けてある既設ソーラーパネル用足場架台。
【請求項６】
請求項１、２、３のいずれかに記載の既設ソーラーパネル用足場架台において、
架台本体の長手方向に所定長さを有する手摺り部を有するとともに前記手摺り部の両端それぞれに前記架台本体への取り付け支柱部を一体的に設けたｎ字状の手摺り部材を前記架台本体に取り外し可能に取り付けてある既設ソーラーパネル用足場架台。
【発明の詳細な説明】
【技術分野】
【０００１】
本発明は、既設のソーラーパネルのガラスカバーの表面に汚れ防止用コーティング剤を塗布施工するために使用するソーラーパネル用足場架台に関する。
【背景技術】
【０００２】
近年では、再生可能エネルギーとして、太陽光を利用した太陽光発電設備が空き地などを利用した敷地に盛んに設置されるようになっている。
ところが、太陽光発電設備を構成するソーラーパネルのガラスカバーの表面に、雪や火山灰とか排ガスや水垢などといった汚れが付着する問題を生じている。
殊に、冬期に多量の雪が降る地域においては、積もった雪に起因して太陽光が入らず、発電不能状態に陥る問題がある。火山灰が降るような場合でも同様の問題がある。
また、排ガスや水垢などの部分的な汚れあるいは薄層状の汚れが付着しても発電効率が低下する不都合があった。
【０００３】
このようなことから、ソーラーパネルのガラスカバーの表面の汚れを除去するものとして、従来、次のような清掃ロボットシステムが提案されている。
この清掃ロボットシステムでは、太陽光発電用パネル（ソーラーパネルのガラスカバーに相当）を清掃するための清掃ロボットと、この清掃ロボットをひとつの太陽光発電用パネルから別の太陽光発電用パネルに移動させるためのアレンジロボットとを備えて構成されている。清掃ロボットは、例えば、洗浄用の水や洗浄液等を噴射する装置や、回転ブラシ等で太陽光発電用パネルの表面を清掃する清掃機能を有しており、かつ、太陽光発電用パネルの面内を移動するための移動機能を有している。
【０００４】
アレンジロボットが、清掃ロボットを把持する把持アダプタをロボットアームの先端に有し、この把持アダプタにより、清掃ロボットを把持して他の太陽光発電用パネルに移動させることができるようになっている。
発電プラント等で清掃ロボットシステムを運用する際には、多数の清掃ロボットと、その清掃ロボットよりも少ない数のアレンジロボットを使用し、アレンジロボットが発電プラント内の太陽光発電用パネルの間を走りながら作業を行えるように、走行輪と、ロボット本体の四隅に３Ｄレーザスキャナ等の周囲物体との距離測定手段を有している。さらに、傾斜、回転及び伸縮等が可能な全方位可動カメラを有している。
【０００５】
太陽光発電用パネルとしては、横１０ｍ、奥行き１０、高さは１ｍから８ｍとなるようなサイズがあり、清掃ロボットに太陽光発電用パネル間を移動するための構造を付加すると大型化が避けられない問題が発生する。そこで、清掃ロボットと、清掃ロボット移動用のアレンジロボットとに機能を分割し、この機能分担により、清掃ロボット及びアレンジロボットそれぞれをが、必要最小限のサイズ、重量、パワーで、必要十分な性能を実現できるようにしている。
【０００６】
すなわち、清掃ロボットは比較的小型軽量で、基本的に必要な清掃作業と、かつ必要な作業効率を維持する移動速度を持つような、清掃作業に専念特化したロボットとすることができる。一方、太陽光発電用パネル間の清掃ロボットの移動動作をアレンジロボットに委ねることにより、アレンジロボットとして、移送や、作業管理、通信連絡といった上位の機能に専念させることができるようになっている。
【０００７】
また、アレンジロボットに水や洗浄液等のタンクを搭載して、清掃ロボットを把持アダプタで把持して移動させる際に、把持アダプタを介して記清掃ロボットに備えた補給口に、水や洗浄液を補給する構成とすることができる。同様に、清掃ロボットの移動及び清掃のための電力等のエネルギーを供給する構成とすることができる。
【０００８】
この構成により、清掃ロボットに搭載する水や洗浄液等のタンクは、最低限、１枚の太陽光発電用パネルを清掃するために必要な量あればよいため、清掃ロボットのさらなる小型化を実現することができる。また、清掃ロボットにエネルギー供給をする機会が多くなるため、例えば、エネルギー源が電力である場合は、清掃ロボットのバッテリーを小型化することができ、化石燃料である場合は、燃料タンクを小型化することができる。
【０００９】
ここで、水等の補給は把持アダプタを使用せずに、例えば、アレンジロボットの内部や上面に、清掃ロボットを格納するドックを設け、そのドックに水や洗浄液等の補給、及び充電等の補給設備を併設してもよい。
【００１０】
また、アレンジロボットは、清掃ロボットの予備品を携行し、水、洗浄液、充電等の補給を行う代わりに、清掃ロボット全体を取り替える方式としてもよい。この場合、アレンジロボットは、次の清掃ロボットを取替え、移送を行うまでの時間を利用して、回収した清掃ロボットに水、洗浄液の補給と充電を行う。これによって作業全体の時間短縮を図ることができる、と記載されている（特許文献１参照）。
【００１１】
また、上述のような、ソーラーパネルのガラスカバーの表面の汚れ除去にとどまらず、汚れを防止することによって発電効率の低下を抑制できるように、ソーラーパネルのガラスカバーの表面に塗布する汚れ防止用コーティング剤（ガラス用コーティング剤）が開発され、既設のソーラーパネルのガラスカバーの表面に塗布されるようになっている。
【００１２】
建物の壁部分に取り付けられた太陽光発電ユニットに関するものではあるものの、特許文献２に、上記ガラス用コーティング剤が開示されている。
すなわち、建物の床仕上げ部分と床スラブ部分と天井内と水平方向に重なる位置に、太陽光発電ユニットが取り付けられている。太陽光発電ユニットには、スパンドレルガラス（ソーラーパネルのガラスカバーに相当）が備えられている。
【００１３】
スパンドレルガラスには、太陽光発電モジュールが設けられ、スパンドレルガラスの背面側にはバックボードが設けられている。スパンドレルガラスの表面には、汚れ防止のために、例えば酸化チタンのような親水性を有するガラス用コーティング剤が塗布されることが望ましい、と記載されている。
【先行技術文献】
【特許文献】
【００１４】
【特許文献１】特開２０１０−１５５３０８号公報
【特許文献２】特開２０１４−２２４０９号公報
【発明の概要】
【発明が解決しようとする課題】
【００１５】
汚れ防止面から、前述したような汚れ防止用コーティング剤を塗布するために、特許文献１に記載のシステムを採用することが考えられるが、敷地を有効に活用する上から、アレンジロボットを走行移動するスペースを確保できるところは少ない。また、確保できたとしても、狭いスペースでは、操縦が困難なものになり、メガソーラーなどのように条件的に恵まれた箇所でないと上記のようなシステムは採用しづらいのが現状である。
【００１６】
そこで、従来一般に、既設のソーラーパネルのガラスカバーを保持する枠材のうち、設置状態の傾斜方向で対向する枠材にわたって、足場架台としての板材を架設し、その足場架台上に作業者が乗り、電動式の塗布具を用いて、ソーラーパネルのガラスカバーの表面に汚れ防止用コーティング剤を塗布施工している。
【００１７】
しかしながら、所定幅部分の塗布を終えて、次の所定幅部分の塗布作業に移行しようとする際に、足場架台を持ち上げて、その架設位置を変更しなければならず、作業者にかかる負担が大きいとともに足場架台の位置変更に手間を要する不都合があった。
【００１８】
本発明は、このような事情に鑑みてなされたものであって、請求項１に係る発明は、位置変更を容易に行なえて作業効率を向上できる足場架台を提供することを目的とし、請求項２に係る発明は、作業者の塗布作業時の安全性を向上できるようにすることを目的とし、請求項３に係る発明は、塗布作業を安全に行なえるようにすることを目的とし、請求項４に係る発明は、塗布作業を安全に行なえるとともに塗布作業に際しての作業者の身体的負担を軽減できるようにすることを目的とし、請求項５に係る発明は、軽量で容易に取り扱うことができながら、その軽量構成を有効利用して手摺り支柱を容易に着脱して、塗布作業に際しての作業者の身体的負担を一層軽減できるようにすることを目的とし、請求項６に係る発明は、塗布作業を安全に行なえるとともに塗布作業に際しての作業者の身体的負担を軽減できるようにし、かつ、足場架台の高所に亘る移動を行いやすいようにすることを目的とする。
【課題を解決するための手段】
【００１９】
請求項１に係る発明は、上述のような目的を達成するために、
既設のソーラーパネルのガラスカバーの表面に汚れ防止用コーティング剤を塗布施工するために使用する既設ソーラーパネル用足場架台であって、
前記ガラスカバーの外周縁を保持するパネル枠の対向する枠にわたって載置して作業者を乗せる架台本体の長手方向一端側に、
前記架台本体の長手方向と平行な軸心周りで回転可能で前記パネル枠の上面と接して回転する第１のガイドローラーと、
前記架台本体の長手方向に直交するとともに使用状態で上下方向となる軸心周りで回転可能で使用状態での前記パネル枠の上端面と接して回転する第２のガイドローラーと、
を備えたことを特徴としている。
【００２０】
（作用・効果）
請求項１に係る既設ソーラーパネル用足場架台の構成によれば、既設のソーラーパネルのパネル枠の対向する枠にわたって架台本体を載置し、その架台本体上に作業者が乗って、ソーラーパネルのガラスカバーの所定範囲の表面に汚れ防止用コーティング剤を塗布する。次の架台本体の長手方向に水平方向で直交する側で隣接する範囲の塗布作業に移行するときに、架台本体の長手方向下方側を少し持ち上げ、上記隣接する側に力を付与するに伴い、架台本体の長手方向上方側を第１および第２のガイドローラーによって円滑に移動
させ、架台本体全体を容易に移動することができる。
したがって、架台本体を円滑に移動してガラスカバーの表面に汚れ防止用コーティング剤を塗布施工することができ、架台本体の位置変更を容易に行なえて作業効率を向上できる。
【００２１】
請求項２に係る発明は、前述のような目的を達成するために、
請求項１に記載の既設ソーラーパネル用足場架台において、
架台本体の上面に、作業者の靴の踵側を乗せるステップを設けるとともに、前記ステップの上端側に使用状態で前記架台本体の上面よりも水平面に近くなる面を備えた踵乗せ部を設けて構成する。
【００２２】
（作用・効果）
請求項２に係る既設ソーラーパネル用足場架台の構成によれば、ガラスカバーの表面にコーテイング剤を塗布するときに、作業者が靴の踵部分をステップの踵乗せ部に面接触させて乗せることができる。
したがって、例えば、ステップとして単に板部材を立姿勢で設けたような場合であると、ステップの上端が靴の踵部分に局部的に線接触する状態になって不安定になってしまうのに比べ、踵部分を安定して乗せることができ、作業者の塗布作業時の安全性を向上できる。
【００２３】
請求項３に係る発明は、前述のような目的を達成するために、
請求項１または２に記載の既設ソーラーパネル用足場架台において、
架台本体の長手方向の使用状態で上方側となる端部側に、命綱または命綱を繋ぐ親綱を取り付ける綱取付部材を着脱可能に設けて構成する。
【００２４】
（作用・効果）
請求項３に係る既設ソーラーパネル用足場架台の構成によれば、綱取付部材に命綱を取り付けて塗布作業を行うことができる。
また、例えば、一対の架台本体の綱取付部材に親綱を取り付け、その親綱に命綱を取り付けて塗布作業を行うことができる。
したがって、作業者が踏ん張る力を命綱に負担させることができるとともに作業者の転倒や落下を有効に防止でき、塗布作業を安全に行なことができる。
【００２５】
請求項４に係る発明は、前述のような目的を達成するために、
請求項１、２、３のいずれかに記載の既設ソーラーパネル用足場架台において、
架台本体に、作業者の移動または／および作業姿勢の維持を補助する手摺り支柱を着脱可能に設けて構成する。
【００２６】
（作用・効果）
請求項４に係る既設ソーラーパネル用足場架台の構成によれば、作業者が手摺り支柱を持ちながら架台本体上を移動することができる。
また、身体を屈めてガラスカバーの表面にコーティング剤を塗布するときに、手摺り支柱を持つことによって膝にかかる負担を軽減することができる。
したがって、塗布作業を安全に行なえるとともに塗布作業に際しての作業者の身体的負担を軽減できる。
【００２７】
請求項５に係る発明は、前述のような目的を達成するために、
請求項４に記載の既設ソーラーパネル用足場架台において、
架台本体がアルミ成形品であり、前記架台本体に、長手方向に所定ピッチで多数の穴が複数列打ち抜き形成され、手摺り支柱の支持台の下方に、前記穴のピッチおよび列間隔に対応させた３本の桿状部材が一体的に設けられ、前記３本の桿状部材を前記穴に挿脱自在に挿入して前記手摺り支柱を前記架台本体に着脱可能に設けて構成する。
【００２８】
（作用・効果）
請求項５に係る既設ソーラーパネル用足場架台の構成によれば、架台本体をアルミ製にするとともに、多数の穴を打ち抜き形成することで、全体を軽量にできる。
しかも、形成した穴に３本の桿状部材を挿脱自在に挿入することで手摺り支柱を架台本体に着脱可能に設けることができる。
したがって、全体が軽量で容易に取り扱うことができながら、その軽量構成を有効利用して手摺り支柱を容易に着脱して、塗布作業に際しての作業者の身体的負担を一層軽減できる。
【００２９】
請求項６に係る発明は、前述のような目的を達成するために、
請求項１、２、３のいずれかに記載の既設ソーラーパネル用足場架台において、
架台本体の長手方向に所定長さを有する手摺り部を有するとともに前記手摺り部の両端それぞれに前記架台本体への取り付け支柱部を一体的に設けたｎ字状の手摺り部材を前記架台本体に取り外し可能に取り付けて構成する。
【００３０】
（作用・効果）
請求項６に係る既設ソーラーパネル用足場架台の構成によれば、架台本体にｎ字状の手摺り部材を取り付けることにより、架台本体の長手方向に所定長さを有する手摺り部を持ちながら架台本体上を移動することができる。
また、身体を屈めてガラスカバーの表面にコーティング剤を塗布するときに、作業者が手摺り部材を持つことによって膝にかかる負担を軽減することができる。
更に、作業現場において、手摺り部材に玉掛けすることにより、ソーラーパネルのガラスカバー上との間にわたって足場架台を運搬移動させることができる。
したがって、塗布作業を安全に行なえるとともに塗布作業に際しての作業者の身体的負担を軽減できる。
そのうえ、架台本体上に取り付けた手摺り部材を玉掛けに利用できるから、足場架台の高所に亘る運搬移動を容易に行うことができる。
【発明の効果】
【００３１】
請求項１に係る既設ソーラーパネル用足場架台の構成によれば、既設のソーラーパネルのパネル枠の対向する枠にわたって架台本体を載置し、その架台本体上に作業者が乗って、ソーラーパネルのガラスカバーの所定範囲の表面に汚れ防止用コーティング剤を塗布する。次の架台本体の長手方向に水平方向で直交する側で隣接する範囲の塗布作業に移行するときに、架台本体の長手方向下方側を少し持ち上げ、上記隣接する側に力を付与するに伴い、架台本体の長手方向上方側を第１および第２のガイドローラーによって円滑に移動
することができる。
したがって、架台本体を円滑に移動してガラスカバーの表面に汚れ防止用コーティング剤を塗布施工することができ、架台本体の位置変更を容易に行なえて作業効率を向上できる。
【図面の簡単な説明】
【００３２】
【図１】本発明に係る既設ソーラーパネル用足場架台の実施例の構成を示す図であり、（ａ）は全体平面図、（ｂ）は全体側面図である。
【図２】図１の（ｂ）のガイドローラー部材の取付箇所を示す拡大側面図である。
【図３】図２のＡ−Ａ線断面図である。
【図４】図１の（ａ）のＢ−Ｂ線断面図である。
【図５】図４の要部の拡大図である。
【図６】使用状態を示す平面図である。
【図７】図６の側面図である。
【図８】別実施例を示す平面図である。
【図９】図８の側面図である。
【図１０】更に別の実施例に係る手摺り支柱を示す要部の斜視図である。
【図１１】更に別の実施例を示す斜視図である。
【図１２】更に別の実施例に係る手摺り部材の取付状態を示す要部の一部省略拡大断面図である。
【発明を実施するための形態】
【００３３】
次に、本発明の実施例を図面に基づいて詳細に説明する。
【００３４】
図１は、本発明に係る既設ソーラーパネル用足場架台の実施例の構成を示す全体正面図であり、（ａ）は全体平面図、（ｂ）は全体側面図である。この図１に示すように、アルミ製の架台本体１の長手方向の使用状態で上端側となる一端側に、ガイドローラー部材２が取り付けられるとともに、架台本体１の上面に、その長手方向に所定間隔を隔ててステップ３が取り付けられ、既設のソーラーパネル５（図６の平面図参照）のガラスカバー６（図６の平面図参照）の表面に汚れ防止用コーティング剤を塗布施工するために使用する既設ソーラーパネル用足場架台４が構成されている。
【００３５】
ガイドローラー部材２は、図２の拡大側面図、および、図３の断面図（図２のＡ−Ａ線断面図）に示すように、コの字状の支持枠体７に、架台本体１の長手方向と平行な軸心周りで回転可能に一対の第１のガイドローラー８，８を設けるとともに、架台本体１の長手方向に直交するとともに使用状態で上下方向となる軸心周りで回転可能に一対の第２のガイドローラー９，９を設けて構成されている。
コの字状の支持枠体７には、３本の板状ブラケット１０…が溶接により一体的に取り付けられ、この板状ブラケット１０…を架台本体１にボルトとナットで取り付けることにより、架台本体１にガイドローラー部材２が一体的に取り付けられている。
【００３６】
上記構成により、図６の平面図、および、図７の側面図に示すように、ガラスカバー６の外周縁を保持するパネル枠１１のうちの使用状態で上下方向で対向する枠の上方枠を支持枠体７間に位置させるようにして、パネル枠１１の上下方向で対向する枠にわたって載置し、作業者Ｗが架台本体１に乗り、回転式塗布具１２によってガラスカバー６の表面に汚れ防止用コーティング剤を塗布施工できる。
所定範囲の塗布施工を終了した後、次の範囲に足場架台４を移動させるときに、架台本体１の長手方向下端側を少し持ち上げて横方向に力を加えると、第１のガイドローラー８，８が上方のパネル枠１１の上面と接して回転し、かつ、第２のガイドローラー９，９がパネル枠１１の上端面と接して回転する。このため、足場架台４を次の範囲に円滑に移動させることができる。
【００３７】
図４の断面図〔図１の（ａ）のＢ−Ｂ線断面図〕、および、図５の拡大図に示すように、架台本体１の上面には、その長手方向全長にわたって滑り止めテープ１３が接着され、作業者Ｗが足を滑らすことを防止するように構成されている。
また、架台本体１の下面に、その長手方向全長にわたって溝１４が形成され、その溝１４に、外部と接触するように突出させた部分（下面側突出部分）をシリコンゴム製にした緩衝部材１５が挿入止着されている。
【００３８】
図１の（ａ）の平面図に示すように、架台本体１には、その長手方向全長にわたって、長手方向に所定ピッチで多数の穴１６が３列打ち抜き形成され、アルミ成形品の架台本体１をより軽量化するように構成されている。
【００３９】
架台本体１には、その長手方向に所定間隔を隔てて、穴１６…を利用して、作業者Ｗの靴Ｓの踵側を乗せるステップ３が取り付けられている。
ステップ３の上端側には、図１の（ｂ）および図７に示すように、使用状態で架台本体１の上面よりも水平面に近くなる面を備えた踵乗せ部３ａが設けられている。
上記構成により、ガラスカバー６の表面にコーテイング剤を塗布するときに、作業者が靴Ｓの踵部分をステップ３の踵乗せ部３ａに面接触させて乗せることができ、作業者の塗布作業時の安全性を向上できるようになっている。
【００４０】
上記実施例では、２本の架台本体１，１を使用している状態を示したが、１本の架台本体１により、例えば、上下で隣り合うステップ３に足Ｓを乗せて作業するようにしても良い。
【００４１】
図８は、別実施例を示す平面図、図９はその側面図であり、使用状態で架台本体１の長手方向の上方側となる端部側に、穴１６…を利用して、命綱２１を繋ぐ親綱２２を取り付ける綱取付部材（アンカーピン）２３が着脱可能に取り付けられている。
これにより、塗布作業に際して、作業者Ｗが踏ん張る力を命綱２１および親綱２２に負担させることができるとともに作業者Ｗの転倒や落下を有効に防止でき、塗布作業を安全に行なことができる。
【００４２】
また、一対の架台本体１，１にわたり、ステップ３の立ち上がり部分がストッパーになる状態で、上下にアルミ製の横板２４，２４が架設されており、架台本体１，１間の間隔を大きくとっても塗布作業を安全に行うことができるようにされている。
この別実施例において、親綱２２を用いずに、綱取付部材２３に直接命綱２２を取り付けるようにするものでも良い。
【００４３】
図１０は、更に別の実施例に係る手摺り支柱を示す要部の斜視図であり、手摺り支柱３１を立設した支持台３２の下方に、架台本体１に形成された穴１６…のピッチおよび列間隔に対応させて３本の桿状部材３３が一体的に設けられ、３本の桿状部材３３…それぞれを所望位置の穴１６に挿脱自在に挿入することにより、手摺り支柱３１を架台本体１に着脱可能に設けるように構成されている。
【００４４】
これにより、作業者Ｗが架台本体１上や架台本体１，１間で移動したり、回転式塗布具１２での塗布作業時に身体を屈めてガラスカバー６の表面にコーティング剤を塗布する作業姿勢を維持したりするときに、その動作を補助することができる。
この実施例によれば、軽量化のために形成された穴１６…のうちの任意の３個の穴１６…を利用して、桿状部材３３を挿脱自在に挿入することで手摺り支柱３１を架台本体１に着脱可能に設けることができる。このため、架台本体１全体を軽量にして容易に取り扱うことができながら、その軽量構成を有効利用して手摺り支柱３１を容易に着脱し、塗布作業に際しての作業者の身体的負担を一層軽減できる。
【００４５】
この更に別の実施例では、桿状部材３３を穴１６…に挿脱自在に挿入することで手摺り支柱３１を架台本体１に着脱可能に設け、手摺り支柱３１を容易に移動できるようにしているが、例えば桿状部材を一本にして、先端にネジ部を設け、ナットの締め付けによって取り付けるようにしても良い。
【００４６】
図１１は、更に別の実施例を示す斜視図であり、架台本体１に、ｎ字状の手摺り部材４１を取り外し可能に取り付けて既設ソーラーパネル用足場架台が構成されている。
ｎ字状の手摺り部材４１は、架台本体１の長手方向に所定長さを有する手摺り部４２を有するとともにその手摺り部４２の両端それぞれに架台本体１への取り付け支柱部４３を一体的に設けて構成されている。更に、図１２の要部の一部省略拡大断面図に示すように、両取り付け支柱部４３，４３それぞれの先端側に、架台本体１の上面に接触支持させるフランジ部４４と架台本体１に固定するネジ部４５とが備えられている。
【００４７】
この実施例の数値例の一例を示せば、架台本体１の長手方向長さが１８０ｃｍであるのに対して、上記手摺り部４２の長さが１００ｃｍであり、かつ、架台本体１の長手方向中央箇所から等分の長さ（５０ｃｍ）になるように、手摺り部４２が架台本体１に取り付けられている。また、取り付け支柱部４３の高さは７５ｃｍであるが、その高さは適宜設定すれば良い。
【００４８】
架台本体１の厚みが薄い箇所（図４の断面図参照）に、架台本体１の長手方向に一対の取り付け穴４６が穿設され、各穴４６それぞれにネジ部４６が挿通されるとともに、ワッシャ４７およびナット４８を介して架台本体１に取り外し可能に取り付けられている。
【００４９】
架台本体１にｎ字状の手摺り部材４１を取り付けることにより、作業者Ｗが架台本体１上や架台本体１，１間で移動するときに、手摺り部４２を持つことで、架台本体１上を安全に移動することができる。
また、回転式塗布具１２での塗布作業時に身体を屈めてガラスカバー６の表面にコーティング剤を塗布する作業姿勢を維持したりするときに（図７および図９参照）、手摺り部４２や取り付け支柱部４３を持つことで、その姿勢維持動作を補助することができ、作業者の膝にかかる負担を軽減することができる。
更に、作業現場において、手摺り部材４１に玉掛けすることにより、ソーラーパネル５のガラスカバー６上といった高所に亘る足場架台４の運搬移動を楽に行うことができる。
【００５０】
上記手摺り部４２の架台本体１の長手方向における所定長さとしては、作業者Ｗがコーティング剤の塗布作業や移動に際して手摺りとして持ちやすい長さに設定すれば良い。また、その取り付け位置としては、玉掛けしての運搬姿勢が安定するように、架台本体１の長手方向中央箇所から各取り付け穴４６，４６までの長さがほぼ等しくなるように振り分けるのが好ましい。
【符号の説明】
【００５１】
１…架台本体
３…ステップ
３ａ…踵乗せ部
４…既設ソーラー用足場架台
５…ソーラーパネル
６…ガラスカバー
８…第１のガイドローラー
９…第２のガイドローラー
１１…パネル枠
１６…穴
２１…命綱
２２…親綱
２３…綱取付部材
３１…手摺り支柱
３２…支持台
３３…桿状部材
４１…手摺り部材
４２…手摺り部
４３…取り付け支柱部
【図１】
2020023848.tif 000003
【図２】
2020023848.tif 000004
【図３】
2020023848.tif 000005
【図４】
2020023848.tif 000006
【図５】
2020023848.tif 000007
【図６】
2020023848.tif 000008
【図７】
2020023848.tif 000009
【図８】
2020023848.tif 000010
【図９】
2020023848.tif 000011
【図１０】
2020023848.tif 000012
【図１１】
2020023848.tif 000013
【図１２】
2020023848.tif 000014